(57)【特許請求の範囲】
【請求項１】
２個のパネルの側面同士、または１個のパネルの側面と１本の柱の側面とを突き合わせたとき各側面に互いに対向するように上下に複数個の連結具の挿入孔を穿設し、それぞれ連結具により連結して間仕切りを構成するローパーティションの連結構造において、該パネル側面の上端部に開閉操作可能に設けたレバーの回動により上下にスライドするスライド板を該側面の内側に設け、該スライド板に前記側面に設けた挿入孔と位置が一致して前記連結具が係合する固定孔を穿設し、該固定孔は前記レバーの開時、上方部の挿入孔を除く上下の各挿入孔を介して差し込まれた連結具を前記レバーの閉時の下降により固定するようにするとともに、前記上方部の挿入孔には強度保持および前後方向の位置決めとなる連結具を挿入して側面同士間のずれ止めとするようにしたことを特徴とするローパーティションにおける連結構造。
【請求項２】
２個のパネルの側面同士、または１個のパネルの側面と１本の柱の側面とを突き合わせたとき各側面に互いに対向するように上下に複数個の連結具の挿入孔を穿設し、それぞれ連結具により連結して間仕切りを構成するローパーティションの連結構造において、前記２個のパネルの側面同士間、または１個のパネルの側面と１本の柱の側面間にジョイント支柱を介在させ、該ジョイント支柱には上下に前記挿入孔に対応する位置に前記連結具の取付孔を穿設して、この取付孔にジョイント支柱から側面側に張り出すように連結具を取着し、前記パネル側面の上端部に開閉操作可能に設けたレバーの回動により上下にスライドするスライド板を該側面の内側に設け、該スライド板には前記側面に設けた挿入孔と位置が一致して前記連結具と係合する固定孔を穿設し、連結に際しては前記レバーの開時、前記２個のパネルの側面同士間、または１個のパネルの側面と１本の柱の間に前記ジョイント支柱を挟み込み、上方部の挿入孔を除く上下の各挿入孔を介して前記レバーの閉時の下降によりパネルの側面同士、または１個のパネルの側面と１本の柱の側面をそれぞれ連結具により固定するようにするとともに、前記上方部の挿入孔に取着された連結具を側面同士間のずれ止めとするようにしたことを特徴とするローパーティションにおける連結構造。
【請求項３】
２個のパネルの側面同士、または１個のパネルの側面と１本の柱の側面とを突き合わせたとき各側面に互いに対向するように上下に複数個の連結具の挿入孔を穿設して、該連結具により連結して間仕切りを構成するローパーティションの連結構造において、前記２個のパネルの側面同士間、または１個のパネルの側面と１本の柱の側面との間にジョイント支柱を介在させ、該ジョイント支柱には上下に前記挿入孔に対応する位置に前記連結具の取付孔を穿設して、この取付孔にジョイント支柱から側面側に張り出すように連結具を挿入し、上方部の挿入孔を除く上下の各挿入孔を介して前記連結具はそれぞれ前記２個のパネルの側面同士、１個のパネルの側面と１本の支柱の連結に際して前記各挿入孔に係合させたのち下降により固定するようにするとともに、前記上方部の挿入孔に挿入された連結具は前記パネル上面に設けたレバーハンドルの回動により位置決め固定されるようにしたことを特徴とするローパーティションにおける連結構造。
【発明の詳細な説明】
【０００１】
【発明の属する技術分野】
本発明は、ローパーティションにおける連結構造に係り、詳しくは連結に際して工具を用いることなく、数少ない部品で連結することができるとともに連結部のパーティションの前後方向へのずれが生じないようにしたローパーティションにおける連結構造に関する。
【０００２】
【従来の技術】
オフィスにおいては、間仕切りや目隠し等のために比較的高さの低いパーティション（ローパーティション）を連結設置してスペースを仕切るようになされている。
【０００３】
上記のようなパーティションの連結には、ビスを用いての連結に代え工具を用いることなく施工することができるようにしたビスレスの連結構造が主流となっている。
【０００４】
その一つとして例えば特開平９−１３５４７号公報にみられるように、隣接する間仕切りパネルの対向する各側端面の縦枠部材に、複数の係合孔を上下方向に等間隔を置いて穿設し、最下部の係合孔に係合する上向きフック部を両側に有する最下部の固定用の駒部材と、上部の係合孔に係合する下向きフック部を両側に有する上部の上下移動可能な駒部材とを備えた連結杆の上端部にレバーを枢着して、このレバーの先端のカムにより固定用の駒部材の上面を相対的に押し下げて上下の駒部材を互いに寄せ合うことにより両間仕切りパネルが連結される構造とされ、連結の際には工具を用いることなく行えるようになされたものがある。
【０００５】
【発明が解決しようとする課題】
しかしながらこのようにして連結された間仕切りパネルは、使用中一般的に隣り合うパネル同士の下端部は一線に揃うが上端部は人または物に接触して押される状態となると前後にずれが生じて不揃いになり易く、見栄えが悪くなる。
【０００６】
また上記の公知例では、連結杆に枢着される駒部材の構造も複雑であるためコスト高となるばかりでなく、組み立てにも工数がかかる。
【０００７】
【課題を解決するための手段】
本発明は、上記のような問題の対策として構造が簡単で連結が容易であり、しかも隣り合うパネル同士の上端部にもずれが生ずることのないローパーティションにおける連結構造を提供することを課題としてなされたものである。
【０００８】
すなわち請求項１記載の発明は、２個のパネルの側面同士、または１個のパネルの側面と１本の柱の側面とを突き合わせたとき各側面に互いに対向するように上下に複数個の連結具の挿入孔を穿設し、それぞれ連結具により連結して間仕切りを構成するローパーティションの連結構造において、該パネル側面の上端部に開閉操作可能に設けたレバーの回動により上下にスライドするスライド板を該側面の内側に設け、該スライド板に前記側面に設けた挿入孔と位置が一致して前記連結具が係合する固定孔を穿設し、該固定孔は前記レバーの開時、上方部の挿入孔を除く上下の各挿入孔を介して差し込まれた連結具を前記レバーの閉時の下降により固定するようにするとともに、前記上方部の挿入孔には強度保持および前後方向の位置決めとなる連結具を挿入して側面同士間のずれ止めとするようにしたことにある。
【０００９】
上記構成によれば２個のパネルの側面同士の連結は、まず、最上部を除く一方のパネルの孔に連結具の一側を挿入して固定し、つぎに同じ連結具の他側を他方のパネルの側面の孔に挿入して固定し、さらに最上部の孔間には別の連結具を挿入してずれ止めすることにより行える。または１個のパネルの側面と柱の側面との連結の場合も前記に準じて同様に行える。
【００１０】
請求項２記載にかかる発明は、２個のパネルの側面同士、または１個のパネルの側面と１本の柱の側面とを突き合わせたとき各側面に互いに対向するように上下に複数個の連結具の挿入孔を穿設し、それぞれ連結具により連結して間仕切りを構成するローパーティションの連結構造において、前記２個のパネルの側面同士間、または１個のパネルの側面と１本の柱の側面間にジョイント支柱を介在させ、該ジョイント支柱には上下に前記挿入孔に対応する位置に前記連結具の取付孔を穿設して、この取付孔にジョイント支柱から側面側に張り出すように連結具を取着し、前記パネル側面の上端部に開閉操作可能に設けたレバーの回動により上下にスライドするスライド板を該側面の内側に設け、該スライド板には前記側面に設けた挿入孔と位置が一致して前記連結具と係合する固定孔を穿設し、連結に際しては前記レバーの開時、前記２個のパネルの側面同士間、または１個のパネルの側面と１本の柱の間に前記ジョイント支柱を挟み込み、上方部の挿入孔を除く上下の各挿入孔を介して前記レバーの閉時の下降によりパネルの側面同士、または１個のパネルの側面と１本の柱の側面をそれぞれ連結具により固定するようにするとともに、前記上方部の挿入孔に取着された連結具を側面同士間のずれ止めとするようにしたことにある。
【００１１】
この構成によれば２個のパネルの側面同士の連結はジョイント支柱の両側面に挿入された連結具の突出部分をそれぞれパネルの挿入孔に挿入して固定し、さらに最上部の孔間には別の連結具を挿入してずれ止めすることができる。
【００１２】
また１個のパネルの側面と柱との連結の場合も前記に準じて同様に行える。
【００１３】
請求項３記載にかかる発明は、２個のパネルの側面同士、または１個のパネルの側面と１本の柱の側面とを突き合わせたとき各側面に互いに対向するように上下に複数個の連結具の挿入孔を穿設して、該連結具により連結して間仕切りを構成するローパーティションの連結構造において、前記２個のパネルの側面同士間、または１個のパネルの側面と１本の柱の側面との間にジョイント支柱を介在させ、該ジョイント支柱には上下に前記挿入孔に対応する位置に前記連結具の取付孔を穿設して、この取付孔にジョイント支柱から側面側に張り出すように連結具を挿入し、上方部の挿入孔を除く上下の各挿入孔を介して前記連結具はそれぞれ前記２個のパネルの側面同士、１個のパネルの側面と１本の支柱の連結に際して前記各挿入孔に係合させたのち下降により固定するようにするとともに、前記上方部の挿入孔に挿入された連結具は前記パネル上面に設けたレバーハンドルの回動により位置決め固定されるようにしたことにある。
【００１４】
上記構成によれば２個のパネルの側面同士、または１個のパネルの側面と１本の柱の側面との連結において、請求項１または２記載の発明において必要とされるスライド板およびスライド板を上下させるレバーを省略して連結具を直接下降させて行うことができ、２個のパネルの側面同士、または１個のパネルの側面と１本の柱の側面との間に設けられた挿入孔には棒状材を挿入してずれ止めすることができる。
【００１５】
【発明の実施の形態】
以下、本発明を図面に示す実施の形態を参照して説明する。
【００１６】
請求項１記載の発明にかかるローパーティションにおける連結構造は、図１乃至図６に示すように２個のパネル１，１′の側面１ａ，１ａ′同士を突き合わせ、それぞれ合成樹脂、または金属材料により形成された連結具３ａにより連結して間仕切りを構成するローパーティションの連結構造において、それぞれの側面の最上部には棒状材３ｂの挿入孔４ａ，それより下側の上下に複数個の連結具３ａの挿入孔４ｂ，４ｂ…を穿設し、該側面１ａ，１ａ′の上の端部に開閉操作可能に設けたレバー５の回動により上下にスライドするスライド板６が該側面１ａ，１ａ′の内側に設けられている。
【００１７】
すなわち図２にパネル１′の上部部分を拡大斜視図で示すようにパネル１′の側面１ａ′内には前面に突出するように一体的に設けられた枠体１′−１があって、この枠体１′−１の中央前面は縦方向に凹部が形成されており、この凹部には上部に丸形の挿入孔４ａ、その下に上下に複数個の縦長の角形の挿入孔４ｂが穿設されている。この側面１ａの枠体１′−１の内側奥には枠体１′−１面に沿うように断面溝型状のスライド板６がスライド可能に内挿されている。図中、符号１′−１ａはパーツ等を取付けるためのスリット孔である。
【００１８】
前記スライド板６の上端には図４に示すように水平（閉）位置から垂直（開）位置に回動可能なレバー５があって上下２個のピン８，９により連結され、したがってレバー５をＡ位置（閉位置）からＢ位置（開位置）に回動させると、てこの原理によりスライド板６はピン８を支点として上昇し、反対にレバー５をＡ位置（閉位置）に回動させるとスライド板６は下降するようにストロークＬ（図４参照）の長さがスライドできるようになっている。スライド板６の幅広側となるスライド面６ａには図３に示すように前記パネル１の側面１ａ（枠体１′ー１）の挿入孔４ａに対応する位置に縦方向の長孔７ａが、また挿入孔４ｂと対応する位置に凸状の角孔で、上部が挿入孔４ｂよりも幅が狭く、下部が挿入孔４ｂと同じ幅で係合できる固定孔７ｂが穿設されている。なおスライド板６とスライドする枠体１′ー１の奥面には中央面の凹部に穿設された挿入孔４ａ，４ｂに対応して同じ大きさの孔がそれぞれ穿設されている。
【００１９】
連結具３ａはジョイナーと呼ばれるもので、図２および図５（Ａ）に拡大図を示すように垂直断面は角形で、中央部の高さが挿入孔４ｂの高さよりも高く、その他は挿入孔４ｂを通過可能な大きさを有し、中央部３ａ−１を中心として左右方向に対称な形状となっており、両先端３ａ−２は平面視、先端幅の方が底部より狭い台形状で幅の広い方の底部と中央部３ａ−１側との連結部分は幅の狭いくびれ部３ａ−３に形成されている。そしてこのくびれ部３ａ−３の幅は前記固定孔７ｂの上部孔幅に挿入可能な大きさとなっている。
【００２０】
また前記スライド板６には連結具３ａを取付けた際の支持部となる連結具受け１０（図３参照）が外側面となる幅広側に重なるように先端部において挟持等の手段により一体化されている。
【００２１】
すなわちこの連結具受け１０単体は樹脂製で、その形状はスライド板６の両側面に嵌め込まれた状態に取付けられたとき接触する突出した一対の係合片１０ａ，１０ａが両側面に設けられ、係合片１０ａの先端はスライド板６の開放された端部を挟み込む状態（図２参照）に取付けられている。また正面には中央から下方にかけて切り欠き１０ｂが設けられ、切り欠き１０ｂを構成する外側には本止め用爪１０ｃと仮止め用爪１０ｄとがそれぞれ設けられ、仮止め用爪１０ｄは本止め用爪１０ｃの端面に設けた傾斜面を経て隣合うように配置されている。
【００２２】
前記連結具３ａと異なるもう一方の連結具は強度保持および前後方向の位置決めを目的とした棒状材３ｂで適宜長さの一様な太さの材料で構成され、中央部はこの実施形態においては太径に形成され、この中央部３ｂ−１は挿入孔４ａに挿入した際（図４参照）、これ以上に挿入しないための位置決めとなっている。
【００２３】
つぎにパネル１，１′同士の連結の場合を説明する。図１に示すようにパネル１，１′の側面１ａ，１ａ′を向かい合わせ、まず図４に示すように一方のパネル１のレバー５を開位置（Ｂ）に回動して垂直状態にする。これにより側面１ａ内のスライド板６は上昇し、固定孔７ｂの下部が挿入孔４ｂと一致すると同時に長孔７ａと挿入孔４ａとも一致する。この状態で挿入孔４ａに棒状材３ｂの一方の先端を挿入して押し込むと中央部３ｂ−１でその位置が規制され、同時に連結具３ａをそれぞれ複数個の挿入孔４ｂに挿入すると、連結具３ａの中央部３ａ−１は図２において凹部の前記挿入孔４ｂの手前で挿入が阻止され、一側のくびれ部３ａ−３および先端部３ａ−２のみが固定孔７ｂ内に差し込まれる。
【００２４】
ここでレバー５を閉位置Ａ位置に回動するとレバー５は倒れて水平となり、スライド板６が下降する。この下降でスライド板６は移動しても棒状材３ｂは長孔７ａ内にあるために移動せず、連結具３ａのくびれ部３ａ−３はスライド板６の固定孔７ｂの上部の幅の狭い部分に移動してパネル１に固定され、くびれ部３ａ−３よりも幅広い先端部３ａ−２はここで上下および左右方向が抜け止めされる。
【００２５】
この操作をパネル１′についても行うことによりパネル１とパネル１′とは連結固定される。
【００２６】
なお連結具３ａが側面１ａの挿入孔４ｂに挿入され、さらにスライド板６の固定孔７に挿入されたのちレバー５の回動により下降してパネル１に固定される過程は図５に示すように（Ａ）は連結具３ａの取付け直前の状態、（Ｂ）は連結具３ａが連結具受け１０に仮止めされた状態、（Ｃ）はスライド板６をレバー５の操作で矢印のように下げることにより連結具３ａは連結具受け１０に本止め用爪１０ｄの傾斜面を通過し本止めされた状態となり、連結具３ａはこれによりスライド板６、つまりパネル１に固定されることになる。
【００２７】
両パネル１．１′が連結具３ａにより連結された状態は図６に平面図で示すように両枠体１−１，１−１′の端面は互いに接触するため両パネル１．１′の端面には隙間Ｓが生ずる。
【００２８】
このときレバー５を樹脂製品で構成すると、回転に対して若干の摩擦抵抗があるから持ち上げた状態でレバー５は自然落下しない。
【００２９】
したがってレバー５を放して複数の連結具３ａを順次差し込むことができ、それぞれの連結具３ａを差し込むことができる。
【００３０】
また図１においてパネル１の側面１ｂと柱２の側面２ａとを連結する場合、柱２の側面２ａにパネル１の側面１ａと同様に最上部に挿入孔４ａ、その下に向って上下に複数個の挿入孔４ｂが穿設され、側面２ａ内のスライド板には長孔および固定孔が設けられている点はパネル１、１′同士の場合と全く同一である。
【００３１】
ただしこの場合柱２のパネル１，１″側に対する奥行きが少ないために連結具３ａおよび棒状材３ｂはそのままの使用は不可であり、連結具３ａおよび棒状材３ｂの長さをほぼ半分に形成した連結具３ａ′および棒状材３ｂ′を使用する。
したがってパネル１、１″とは柱２を介して直角に連結することができる。
【００３２】
さらにパネル１′、１″の側面にエンドカバー１１を取付ける場合にはカバー１１の内面に柱２の側面２ａに設けたように上下に複数個の挿入孔４ｂを設け、この孔とパネル側面との間に連結具３ａ′を挿入して固着するようにすればよい。
【００３３】
図１中、１２は幅木、１３は柱カバー、１４は笠木、１５は上蓋である。
【００３４】
請求項２記載の発明にかかるローパーティションにおける連結構造は、図７乃至図１２に示すように、２個のパネル２０，２０′の側面２０ａ，２０ａ′同士、または１個のパネル２０の側面２０ｂと１本の柱２１の側面２１ａとを突き合わせたとき各側面２０ａ，２０ａ′または２０ａ，２１ａとをに互いに対向するように上下に複数個の連結具３ｃの各挿入孔を穿設して、該連結具３ｃにより連結して間仕切りを構成するローパーティションの連結構造において、前記２個のパネル２０，２０′の側面２０ａ，２０ａ′同士間にはストレート用ジョイント支柱２２を、１個のパネル２０の側面２０ａと１本の柱２１の側面２１ａとの間にはコーナ用ジョイント支柱２３をそれぞれ介在させ、該ストレート用ジョイント支柱２２には上下に前記挿入孔４ａ，４ｂに対応する位置に連結具としての棒状材３ｄおよび連結具３ｃの取付孔を穿設して、この取付孔の最上部を除く取付孔にストレート用ジョイント支柱２２を貫通して両側面側に張り出すように連結具３ｃを取着するようにしたものである。
【００３５】
また前記コーナ用ジョイント支柱２３には上下に前記挿入孔４ａ，４ｂに対応する位置に前記棒状材３ｄ、連結具３ｃ用の取付孔を穿設して、この最上部を除く取付孔にコーナ用ジョイント支柱２３からパネル２０，２０″側にのみ張り出すように長さをほぼ半分に形成した連結具３ｃ′を取着したものである。
【００３６】
前記パネル２０，２０′の側面２０ａは図８に示す拡大図に見られるようにパネル２０の端面から少し内側に後退した位置になっており、この側面２０ａに請求項１の場合と同様の前記挿入孔４ａ，４ｂが設けられていて、この側面２０ａに平面視溝型状で、幅広部分の中央が凹側に屈曲した形状のジョイント支柱２２および２３の幅方向が取付けられるようになっている。
【００３７】
そして前記パネル２０，２０′，２０″の上端部には図９に詳細を示す開閉操作可能なレバー５が設けられ、このレバー５の回動により上下にスライドするスライド板６が該側面２０ａ，２０ａ′，２０ａ″の内側に設けられている。
【００３８】
また該スライド板６には前記側面に設けた挿入孔と位置が一致して前記連結具３ｃと係合する固定孔７ｂと棒状材３ｄが挿入される長孔７ａとが穿設されており、連結に際しては前記レバー５の開時、前記２個のパネル２０，２０′の側面２０ａ，２０ａ′同士間にストレート用ジョイント支柱２２を、パネル２０の側面２０ａと１本の柱２１の側面２１ａ間にはコーナ用ジョイント支柱２３をそれぞれ挟み込み、前記レバー５の閉時の下降によりパネルの側面同士、１個のパネルの側面と１本の柱をそれぞれ連結具により固定するようになっている。
【００３９】
そして前記最上部の挿入孔４ａには強度保持および前後方向の位置決めとなる棒状材３ｄが挿入されることによりずれ止めとするように構成してある。
【００４０】
したがって図９に記載されているレバー５やスライド板６等は請求項１記載のものと同一であり、詳細説明は省略する。
【００４１】
この発明の特徴は請求項１記載の発明の２個のパネル２０，２０′の側面２０ａ，２０ａ′同士間にストレート用のジョイント支柱２２を、１個のパネル２０の側面２０ａと１本の柱２１の側面２１ａとの間にコーナ用ジョイント支柱２３をそれぞれ介在させた点のみが相違している。
【００４２】
つまりストレート用ジョイント支柱２２には連結具３ｃおよび棒状材３ｄを挿入し、コーナ用ジョイント支柱２３には連結具３ｃおよび棒状材３ｄをそれぞれ半分程度の長さに形成した連結具３ｃ′、棒状材３ｄ′を挿入して側面から突出した部分をそれぞれ２個のパネル２０，２０′の側面２０ａ，２０ａ′同士、または１個のパネル２０の側面２０ａと１本の柱２２の側面２２ａに挿入したのち、レバー５を操作することで２個のパネル２０，２０′同士、および１個のパネル２０と１本の柱２１との連結が容易に行える。
【００４３】
なお図１０（Ａ）はストレート用ジョイント支柱２２の取付孔に棒状材３ｄおよび連結具３ｃを取付けた状態を示すもので、棒状材３ｄおよび連結具３ｃの形状はそれぞれ（Ｂ）および（Ｃ）に示すようになっている。すなわち棒状材３ｄは一様な太さの丸棒の中央に２つ割りの位置決め材２４を固着したもので、上下の端部に抜け止め用の弾性体２４ａを備えたものとなっている。
【００４４】
また連結具３ｃは請求項１に示した連結具３ａの中央部の高い部分を弾性体３ｃ−１に変更したものである。したがってジョイント支柱２２に取付けるに際して弾性体３ｃ−１で孔からの抜け止めとなるものである。図１０，１１において符号２２ａはパーツ取付用のスリット孔である。
【００４５】
ジョイント支柱２２に取付けられた棒状材３ｄおよび連結具３ｃを両パネル２０，２０′間に取付けた状態は図９に示すようになり、棒状材３ｄの端部はパネル２０，２０′の内部にそれぞれ設けた支持孔２０ｃ，２０ｃ′に支持されるようになっている。
【００４６】
図１２は柱２１にコーナ用ジョイント支柱２３を取付ける場合の拡大図を示すもので、この場合柱２１の側面２１ａに設けられる挿入孔４ａ″はネジ孔となっており、これに挿入される棒状材３ｄ′の一端はネジとなっている。
【００４７】
エンドカバー１１の取付けについてもこれに準じて行える。
【００４８】
なお図７中、幅木、支柱カバー、笠木、上蓋等の符号は図１と同一符号を用い説明は省略する。
【００４９】
請求項３記載の発明にかかるローパーティションにおける連結構造は、図１３乃至図１５に示すように、２個のパネル３０，３０′の側面同士３０ａ，３０ａ′間にストレート用ジョイント支柱３１を、１個のパネル３０の側面３０ｂと１本の柱３２の側面３２ａとの間にコーナ用ジョイント支柱３３をそれぞれ介在させ、該ストレート用ジョイント支柱３１には上下に前記各側面に穿設された挿入孔４ａ′，４ｂ′，４ｂ′に対応する位置に連結具としての棒状材３４および連結具３５の取付孔を穿設して、この取付孔にストレート用ジョイント支柱３１を貫通して両側面側に張り出すように棒状材３４および連結具３５を取付け、前記コーナ用ジョイント支柱３３には上下に前記各側面に穿設された挿入孔４ａ′，４ｂ′に対応する位置に前記連結具としての棒状材３４′および連結具３５の取付孔を穿設して、この取付孔に棒状材３４′をパネル３０側に張り出すように取付け、連結具３５はコーナ用ジョイント支柱３３を貫通して両側面側に張り出すように取付けるようにしたものである。なお挿入孔４ａ′の形状はこの実施形態では棒状材３４が角形のため角孔となっている。図１３中、３１ａはパーツ取付用のスリット孔である。
【００５０】
また連結具３５の具体的構造は図１４に示すようにジョイナーの代わりに側面視逆Ｕ字型の両側が垂下したフック状に形成したものであり、これを例えば図１４（Ａ）に示すようにストレート用ジョイント支柱３１の両側に穿設された取付孔に逆Ｕ字状になるように予め挿入して置き、連結の際はストレート用ジョイント支柱３１の左右にパネル３０，３０′の側面３０ａ，３０ａ′同士を合わせてそれぞれ図１３に示す角形の挿入孔４ｂ′に挿入された連結具３５を通して、これを押し下げることにより両端で左右の移動がロックされ（Ｂ）の状態となって両パネル３０，３０′とストレート用ジョイント支柱３１とは一体となる。
【００５１】
このとき最上部の挿入孔４ａ′に挿入されたストレート用の棒状材３４はパネル３０，３０′内に差し込まれ、またコーナ用として短く形成した棒状材３４′はパネル３０内に差し込まれるが，それぞれパネル上面に設けたレバーハンドル３６の回動により位置決め固定されるように構成してある。
【００５２】
すなわち棒状材３４には図１３に示すように両端部に接近した位置に適宜深さの凹部３４ａが設けられており、またパネル３０，３０′の上面にはピン３７回りに回転可能でピン中心から二股状に分岐して形成されたレバーハンドル３６が設けられていて、その一端３６ａはパネル３０上面に接し、他端３６ｂは上面から突出した状態におかれている。
【００５３】
したがって棒状材３４の固定の方法は図１５（Ａ）に示すようにストレート用ジョイント支柱３１の最上部の取付孔に取付けられた棒状材３４を左右等分長さがパネル内に差し込まれるようにしておき、図１４に示したように両パネル３０，３０′を連結状態にしたのち、レバーハンドル３６の一端３６ａを１８０°回転させると、他端３６ｂは前記棒状材３４の凹部３４ａに係合して図１５（Ｂ）に示す状態となる。これにより棒状材３４はその位置に固定される。
【００５４】
以上はパネル３０，３０′同士の連結の場合を説明したが、１個のパネル３０１本の支柱３２との連結についても、同様に行うことができる。またパネル３０′とエンドカバー１１の連結についてもこれに準じて行えるので説明は省略する。
【００５５】
【発明の効果】
本発明は以上説明したように構成したことにより、請求項１は２個のパネルの側面同士、または１個のパネルの側面と１本の柱の側面とを突き合わせ、それぞれの連結具により連結して間仕切りを構成するローパーティションにおける連結構造において、それぞれの側面の上下に複数個の連結具の挿入孔を穿設して、該側面の上部に設けたレバーの回動と連動し、かつ連結具の取付孔を有するスライド板を側面の内側に設けて挿入孔と取付孔とに連結具を差し込むことで、前記レバーの下降で連結具を固定するとともに、両側面間に棒状材を挿入したので、これによりパネルの間仕切りに工具使用せず、しかも棒状材の使用で従来のように両側面間にずれを生じない。
【００５６】
請求項２は２個のパネルの側面同士、または１個のパネルの側面と１本の柱の側面とを突き合わせ、それぞれの連結具により連結するようにした構成にパネル同士の場合はストレート用ジョイント支柱を、１個のパネルの側面と１本の柱の側面と場合はコーナ用ジョイント支柱を介在させて取付けるようにしたので、請求項１の発明と比較した場合、部品点数は多くなるが強固に連結することが可能となる。
【００５７】
３）請求項３は前２項の発明がそれぞれ連結具の固定にレバーを使用し、かつ複雑なジョイナーによる連結具であるのに対して、フック状の連結具を使用し、しかも棒状材もレバーハンドルの回動で確実に固定するようにしたので、製作コストが低減できる。
【図面の簡単な説明】
【図１】請求項１記載の発明にかかるローパーティションにおける連結構造の分解斜視図。
【図２】図１の１個のパネルの側面の内側に設けられたスライド板および連結具を示す斜視図。
【図３】図２のスライド板を逆方向から見た斜視図。
【図４】図１のレバー回りの取付け関係を示す断面による説明図。
【図５】図２における連結具受けに連結具を取付ける過程を示し、（Ａ）は取付け前の状態図、（Ｂ）は仮止め状態図、（ｃ）は本止め状態図。
【図６】図１のパネル同士を連結具により連結した状態を示す断面図。
【図７】請求項２記載の発明にかかるローパーティションにおける連結構造の分解斜視図。
【図８】図７の側面の内側に設けられたスライド板を示す斜視図。
【図９】図７のレバー回りを示す断面図。
【図１０】（Ａ）は図７のストレート用ジョイント支柱に取付けられた棒状材および連結具を示す斜視図、（Ｂ）および（Ｃ）は取付けられる前の棒状材および連結具単体を示す斜視図。
【図１１】図１０のストレート用ジョイント支柱を向きを代えて見た斜視図。
【図１２】図７のコーナ用ジョイント支柱に取付けた棒状材および連結具を支柱に挿入する場合の状態を示す斜視図。
【図１３】請求項３記載の発明にかかるローパーティションにおける連結構造の分解斜視図。
【図１４】両パネルを連結する過程を示し、（Ａ）は連結前、（Ｂ）は連結後の状態を示す正面図。
【図１５】図１３のストレート用ジョイント支柱に取付けた棒状材をレバーハンドルにより固定する過程を示し、（Ａ）は固定前、（Ｂ）は固定後の状態を示す正面図。
【符号の説明】
１，１′，１″  パネル
１ａ，１ａ′，１ｂ  側面
２  柱
２ａ  側面
３ａ，３ａ′，３ｃ，３ｃ′  連結具
３ｂ，３ｂ′、３ｄ，３ｄ′  連結具としての棒状材
４ａ，４ａ′，４ｂ，４ｂ′，４ｂ″  挿入孔
５  レバー
６  スライド板
７ｂ  固定孔
８，９  ピン
２０，２０′，２０″  パネル
２０ａ，２０ａ′，２０ｂ  側面
２１  柱
２１ａ  側面
２２  ストレート用ジョイント支柱
２３  コーナ用ジョイント支柱
３０，３０′，３０″  パネル
３０ａ，３０ａ′，３０ｂ  側面
３１  ストレート用ジョイント支柱
３２  柱
３３  コーナ用ジョイント支柱
３４，３４′  連結具としての棒状材
３５，３５′  連結具（フック状）
３６  レバーハンドル
【図１】
0004056642.tif 000002
【図２】
0004056642.tif 000003
【図３】
0004056642.tif 000004
【図４】
0004056642.tif 000005
【図５】
0004056642.tif 000006
【図６】
0004056642.tif 000007
【図７】
0004056642.tif 000008
【図８】
0004056642.tif 000009
【図９】
0004056642.tif 000010
【図１０】
0004056642.tif 000011
【図１１】
0004056642.tif 000012
【図１２】
0004056642.tif 000013
【図１３】
0004056642.tif 000014
【図１４】
0004056642.tif 000015
【図１５】
0004056642.tif 000016